(57)【特許請求の範囲】
【請求項１】
無線通信ネットワークへの移動通信端末の接続を可能にするための方法であって、前記無線通信ネットワークは無線基地局を含み、該無線基地局はある無線カバレージエリア内に情報をブロードキャスト可能であり、該無線カバレージエリアはある地理的エリアに含まれ、前記方法は、
前記地理的エリア内で利用可能な無線アクセス技術に関する情報を前記無線基地局からブロードキャストするステップを含み、前記情報は、前記地理的エリア内の現在の移動通信端末の位置をどの無線アクセス技術がカバーするかを求めるために前記移動通信端末によって使用されるように意図され、
前記情報は、無線アクセス技術ごとに、該無線アクセス技術の識別子と、該無線アクセス技術がカバーする前記地理的エリアの範囲を定めるように適合されたデータとを含み、ある無線アクセス技術についての前記データは、該無線アクセス技術が前記無線カバレージエリア全体をカバーする場合に、該無線アクセス技術が前記無線カバレージエリア全体をカバーすることを示す値を含み、前記地理的エリア内の前記移動通信端末の位置が特定できないときに、該移動通信端末は、利用可能な無線アクセス技術を求めて、前記情報が前記値を含む前記データを含むかを判定する、方法。
【請求項２】
前記無線アクセス技術がカバーする前記地理的エリアの範囲を定めるように適合された前記データは、前記地理的エリア内の少なくとも１つの地理的ポイントの地理的座標を含む、請求項１に記載の方法。
【請求項３】
前記無線アクセス技術がカバーする前記地理的エリアの範囲を定めるように適合された前記データは、長さの指示を更に含み、少なくとも１つの地理的ポイントの前記地理的座標は円の中心の地理的位置を定め、前記長さの指示は前記円の半径を定め、前記円は、前記無線アクセス技術がカバーする前記地理的エリアの前記範囲を表す、請求項２に記載の方法。
【請求項４】
前記無線アクセス技術がカバーする前記地理的エリアの範囲を定めるように適合された前記データは、少なくとも２つの地理的ポイントの地理的座標であって前記地理的エリアの前記範囲を表す多角形の頂点を定める前記地理的座標を含む、請求項２に記載の方法。
【請求項５】
前記無線アクセス技術の前記識別子が文字列の形式である、請求項１に記載の方法。
【請求項６】
ブロードキャストする前記ステップが、帯域外ブロードキャスト通信チャネルであって当該の前記地理的エリア内に存在する前記無線アクセス技術に割り当てられた認可帯域の外部の周波数帯域内に位置する前記チャネルと、帯域内ブロードキャスト通信チャネルであって当該の前記地理的エリア内に存在する前記無線アクセス技術に割り当てられた認可帯域内の周波数帯域内に位置する前記チャネルとのうちの１つを利用するステップを含む、請求項１に記載の方法。
【請求項７】
前記ブロードキャスト通信チャネルが、当該の前記地理的エリア内に存在する前記無線アクセス技術のうちの１つの論理チャネルとして定められた、請求項６に記載の方法。
【請求項８】
あるネットワーク機能を含む無線通信ネットワークであって、該ネットワーク機能は、ある地理的エリア内で利用可能な無線アクセス技術に関する情報の無線基地局からのブロードキャストを制御するように適合され、該無線基地局はある無線カバレージエリア内に情報をブロードキャスト可能であり、該無線カバレージエリアは前記地理的エリアに含まれ、前記情報は、前記地理的エリア内の現在の移動通信端末の位置をどの無線アクセス技術がカバーするかを求めるために移動通信端末によって使用されるように意図され、
前記情報は、無線アクセス技術ごとに、該無線アクセス技術の識別子と、該無線アクセス技術がカバーする前記地理的エリアの範囲を定めるように適合されたデータとを含み、ある無線アクセス技術についての前記データは、該無線アクセス技術が前記無線カバレージエリア全体をカバーする場合に、該無線アクセス技術が前記無線カバレージエリア全体をカバーすることを示す値を含み、前記地理的エリア内の前記移動通信端末の位置が特定できないときに、該移動通信端末は、利用可能な無線アクセス技術を求めて、前記情報が前記値を含む前記データを含むかを判定する、無線通信ネットワーク。
【請求項９】
前記無線アクセス技術がカバーする前記地理的エリアの範囲を定めるように適合された前記データは、前記地理的エリア内の少なくとも１つの地理的ポイントの地理的座標を含む、請求項８に記載の無線通信ネットワーク。
【請求項１０】
前記無線アクセス技術がカバーする前記地理的エリアの範囲を定めるように適合された前記データは、長さの指示を更に含み、少なくとも１つの地理的ポイントの前記地理的座標は円の中心の地理的位置を定め、前記長さの指示は前記円の半径を定め、前記円は、前記無線アクセス技術がカバーする前記地理的エリアの前記範囲を表す、請求項９に記載の無線通信ネットワーク。
【請求項１１】
前記無線アクセス技術がカバーする前記地理的エリアの範囲を定めるように適合された前記データは、少なくとも２つの地理的ポイントの地理的座標であって前記地理的エリアの前記範囲を表す多角形の頂点を定める前記地理的座標を含む、請求項９に記載の無線通信ネットワーク。
【請求項１２】
前記無線アクセス技術の前記識別子が文字列の形式である、請求項８に記載の無線通信ネットワーク。
【請求項１３】
前記ブロードキャストに対し、帯域外ブロードキャスト通信チャネルであって当該の前記地理的エリア内に存在する前記無線アクセス技術に割り当てられた認可帯域の外部の周波数帯域内に位置する前記チャネルと、帯域内ブロードキャスト通信チャネルであって当該の前記地理的エリア内に存在する前記無線アクセス技術に割り当てられた認可帯域内の周波数帯域内に位置する前記チャネルとのうちの１つが利用される、請求項８に記載の無線通信ネットワーク。
【請求項１４】
前記ブロードキャスト通信チャネルが、当該の前記地理的エリア内に存在する前記無線アクセス技術のうちの１つの論理チャネルとして定められた、請求項１３に記載の無線通信ネットワーク。
【請求項１５】
無線通信ネットワークが含む無線基地局から、ある地理的エリア内で利用可能な無線アクセス技術に関する情報のブロードキャストを受けるように適合された移動通信端末であって、前記無線基地局はある無線カバレージエリア内に情報をブロードキャスト可能であり、該無線カバレージエリアは前記地理的エリアに含まれ、前記情報は、前記地理的エリア内の現在の移動通信端末の位置をどの無線アクセス技術がカバーするかを求めるために前記移動通信端末によって使用されるように意図され、
前記移動通信端末は前記情報を受けるように適合された受信機を含み、前記情報は、無線アクセス技術ごとに、該無線アクセス技術の識別子と、該無線アクセス技術がカバーする前記地理的エリアの範囲を定めるように適合されたデータとを含み、ある無線アクセス技術についての前記データは、該無線アクセス技術が前記無線カバレージエリア全体をカバーする場合に、該無線アクセス技術が前記無線カバレージエリア全体をカバーすることを示す値を含み、前記地理的エリア内の前記移動通信端末の位置が特定できないときに、該移動通信端末は、利用可能な無線アクセス技術を求めて、前記情報が前記値を含む前記データを含むかを判定する、移動通信端末。
【請求項１６】
ある地理的エリア内で利用可能な無線アクセス技術に関する情報をブロードキャストするように適合された、無線通信ネットワークの無線基地局であって、該無線基地局はある無線カバレージエリア内に情報をブロードキャスト可能であり、該無線カバレージエリアは前記地理的エリアに含まれ、前記情報は、前記地理的エリア内の現在の移動通信端末の位置をどの無線アクセス技術がカバーするかを求めるために移動通信端末によって使用されるように意図され、
前記情報は、無線アクセス技術ごとに、該無線アクセス技術の識別子と、該無線アクセス技術がカバーする前記地理的エリアの範囲を定めるように適合されたデータとを含み、ある無線アクセス技術についての前記データは、該無線アクセス技術が前記無線カバレージエリア全体をカバーする場合に、該無線アクセス技術が前記無線カバレージエリア全体をカバーすることを示す値を含み、前記地理的エリア内の前記移動通信端末の位置が特定できないときに、該移動通信端末は、利用可能な無線アクセス技術を求めて、前記情報が前記値を含む前記データを含むかを判定する、無線基地局。
【請求項１７】
前記無線アクセス技術がカバーする前記地理的エリアの範囲を定めるように適合された前記データは、前記地理的エリア内の少なくとも１つの地理的ポイントの地理的座標を含む、請求項１６に記載の無線基地局。
【請求項１８】
前記無線アクセス技術がカバーする前記地理的エリアの範囲を定めるように適合された前記データは、長さの指示を更に含み、少なくとも１つの地理的ポイントの前記地理的座標は円の中心の地理的位置を定め、前記長さの指示は前記円の半径を定め、前記円は、前記無線アクセス技術がカバーする前記地理的エリアの前記範囲を表す、請求項１７に記載の無線基地局。
【請求項１９】
前記無線アクセス技術がカバーする前記地理的エリアの範囲を定めるように適合された前記データは、少なくとも２つの地理的ポイントの地理的座標であって前記地理的エリアの前記範囲を表す多角形の頂点を定める前記地理的座標を含む、請求項１７に記載の無線基地局。
【請求項２０】
前記のブロードキャストに対し、帯域外ブロードキャスト通信チャネルであって当該の前記地理的エリア内に存在する前記無線アクセス技術に割り当てられた認可帯域の外部の周波数帯域内に位置する前記チャネルと、帯域内ブロードキャスト通信チャネルであって当該の前記地理的エリア内に存在する前記無線アクセス技術に割り当てられた認可帯域内の周波数帯域内に位置する前記チャネルとのうちの１つが利用される、請求項１６に記載の無線基地局。
【発明の詳細な説明】
【技術分野】
【０００１】
本発明は一般に、広義には移動電話通信ネットワークおよびワイヤレスデータネットワークを含む、無線通信ネットワークの分野に関する。より詳細には、本発明は、移動通信端末、たとえば携帯電話が無線通信ネットワークにどのように接続するかについての態様に関する。
【背景技術】
【０００２】
新しい通信技術および規格の導入により、異種無線通信ネットワーク状況がますます一般的になってきている。
異種無線通信ネットワーク状況とは、たとえば１つ若しくは複数のＧＳＭ（登録商標）（移動通信用グローバルシステム）システム、１つ若しくは複数のＧＰＲＳ（汎用パケット無線サービス）システム、１つ若しくは複数のＵＭＴＳ（ユニバーサル移動体通信システム）システム、１つ若しくは複数のＷＬＡＮ（ワイヤレスローカルエリアネットワーク）又は他のタイプのワイヤレスデータネットワークのような、異なる規格に準拠する２つ以上の異なる無線通信システムが共存する地理的エリアである。異なる無線通信システムは同じまたは異なるテレコムサービスプロバイダに属することがある。
【０００３】
異なる無線通信システムは通常、通信プロトコルの最下層、特に物理層、データリンク層、ネットワーク層およびトランスポート層でさえ互いに異なるので、異種無線通信ネットワーク状況はマルチＲＡＴ（無線アクセス技術）システムであることが極めて多い。
【０００４】
異種無線通信ネットワーク状況で動作することができるマルチモード移動通信端末は当技術分野で知られており、すでに市販されている。たとえば、デュアルモード携帯電話はＵＭＴＳ規格とＧＳＭ（登録商標）規格の両方をサポートする。
【０００５】
再構成可能な移動通信端末も当技術分野で知られており、これらは、使用中、サポートされる無線通信規格を変更するように再構成できる（たとえば、ある時間に、ＧＳＭ（登録商標）規格をサポートするように構成された再構成可能な移動通信端末はＵＭＴＳ規格をサポートするように再構成できる）。
【０００６】
異種またはマルチＲＡＴ状況では、マルチモードおよび／または再構成可能な移動通信端末は、最適なＲＡＴに接続することができなければならない。電源が入れられたとき、移動通信端末は、それが位置する地理的エリア内でどれが最適なＲＡＴであるか、またはその特定の地理的エリア内に存在するＲＡＴがどの周波数範囲を利用するかについて認識しない。この後者の側面は特に重大であり、なぜなら、ＤＳＡ（Ｄｙｎａｍｉｃ  Ｓｐｅｃｔｒｕｍ  Ａｌｌｏｃａｔｉｏｎ）技術またはＦＳＭ（Ｆｌｅｘｉｂｌｅ  Ｓｐｅｃｔｒｕｍ  Ｍａｎａｇｅｍｅｎｔ）技術が実装されている場合、ＲＡＴの周波数範囲は、たとえばネットワークオペレータの好ましいポリシーに従ってアプリオリに確立されず、時間的に変化することが可能だからである。したがって、移動通信端末は、その現在位置においてどれが利用可能なＲＡＴであるかを検出するために周波数範囲全体を走査しなければならず、端末がキャンピングのために必要とする時間に著しい影響を及ぼし、移動通信端末のような電池式ハンドヘルドデバイスに大切なリソースである電力を大量に消費する。
【０００７】
Ｌ．Ｔ．ＬｅおよびＡ．Ｈ．Ａｇｈｖａｍｉ「Ｐｅｒｆｏｒｍａｎｃｅ  ｏｆ  ａｎ  ａｃｃｅｓｓｉｎｇ  ａｎｄ  ａｌｌｏｃａｔｉｏｎ  ｓｃｈｅｍｅ  ｆｏｒ  ｄｏｗｎｌｏａｄ  ｃｈａｎｎｅｌ  ｉｎ  ＳＤＲ（ＳＤＲにおけるダウンロードチャネルのためのアクセスおよび割り当て方式のパフォーマンス）」ワイヤレス通信網会議、シカゴ、２０００、２巻、５１７〜５２１ページには、すべてのブ    ロードキャストメッセージとシグナリングメッセージの交換のため、および再構成可能な移動通信端末の再構成のためのソフトウェアダウンロードの手順のために使用される、ＧＰＤＣＨ（Ｇｌｏｂａｌ  Ｐｉｌｏｔ  ａｎｄ  Ｄｏｗｎｌｏａｄ  ＣＨａｎｎｅｌ）と呼ばれる通信チャネルの方式が提示されている。アプリオリに知られる周波数帯域内の通信チャネルの可用性は、移動通信端末のタスクを円滑にし、それにより、そのようなチャネルを介して送信されるメッセージから、どれが利用可能なＲＡＴであるか、それぞれの周波数帯域、異なるテレコムオペレータについての指示を得ることができる。
【０００８】
文献「Ｃｏｇｎｉｔｉｖｅ  Ｐｉｌｏｔ  Ｃｈａｎｎｅｌ（認知パイロットチャネル）」、Ｐ．Ｃｏｒｄｉｅｒら、第１５回ワイヤレス・ワールド・リサーチ・フォーラム、２００５年１２月８〜９日、パリには、周波数帯域、ＲＡＴ、サービス、負荷状況などに関する関連情報をブロードキャストすることによって、最適なネットワークへの接続に役立つ十分な情報を移動端末に提供するための通信チャネル、いわゆる「ＣＰＣ」（「認知パイロットチャネル」）を確立するための２つの可能な解決策が提示されている。
【０００９】
第１の提案された解決策によれば、ＣＰＣは、多数の異なるメッシュを含む広いゾーン上でブロードキャストされ、ＣＰＣは、このエリアのすべてのメッシュのためのデータを含み、メッシュごとに、ＣＰＣは、そのメッシュにおいて利用可能なオペレータ、それらの好ましい技術および対応する周波数帯域を含む。あるメッシュに位置する端末は、スイッチが入ると、それ自体で、ＧＰＳ（全地球測位システム）を使用してその位置を決定する。その位置についての知識のおかげで、端末は、そのメッシュにおいて利用可能な技術、これらのＲＡＴを展開するオペレータ、および対応する周波数帯域に関する情報をＣＰＣから取り出すことができる。このようにして、端末は、関連するオペレータおよびネットワークとの接続を確立する。
【００１０】
Ｐ．Ｃｏｒｄｉｅｒらの文献で提案された第２の解決策は、国レベルＣＰＣ（レベル１）、オペレータレベルＣＰＣ（レベル２）およびネットワークレベルＣＰＣ（レベル３）をもつマルチレベル階層構造を有するＣＰＣに対するものである。レベル１ＣＰＣは、移動端末領域の近くにいるのは誰（オペレータ）か、レベル２ＣＰＣがどの周波数で作動しているかを示し、レベル２ＣＰＣは、どのＲＡＴがオペレータによってどの周波数で作動しているかを知らせ、レベル３ＣＰＣはＲＡＴ情報を示す。
【００１１】
前述のＰ．Ｃｏｒｄｉｅｒらの文書と同様に、Ｐ．Ｈｏｕｚｅら「Ｃｏｍｍｏｎ  Ｐｉｌｏｔ  Ｃｈａｎｎｅｌ  ｆｏｒ  ｎｅｔｗｏｒｋ  ｓｅｌｅｃｔｉｏｎ（ネットワーク選択のための共通パイロットチャネル）」、ＶＴＣ２００６−Ｓｐｒｉｎｇ、２００６年ＩＥＥＥ第６３回移動体技術会議、２００６年５月、６７〜７１ページには、利用可能なネットワークとの接続を開始するために調和周波数帯域内に共通パイロットチャネル（ＣＰＣ）をおく概念が記載されている。１つのブロードキャストチャネルによってカバーされるエリアはメッシュに分割され、メッシュごとに、各オペレータは対応する情報、すなわち利用可能な技術および対応する周波数帯域を含む。
【発明の概要】
【発明が解決しようとする課題】
【００１２】
出願人は、ネットワークへの移動端末のキャンピングを円滑にするためのＣＰＣのようなチャネルを利用する概念は優れているが、そのようなチャネルを実装するための提案された解決策は満足のいくものではないことがわかった。
【００１３】
特に、Ｐ．Ｃｏｒｄｉｅｒらの文献で提案され、Ｐ．Ｈｏｕｚｅらの文書に同様に開示されている第１の解決策は、送信される情報が非常に冗長であるので、通信帯域幅を効率的に使用しない。当該の地理的エリアの隣接するメッシュ内で同じＲＡＴが利用可能であることにかかわらず、メッシュは互いに別個であると考えられるので、メッシュごとに、ＣＰＣは、そのメッシュにおいて利用可能なオペレータ、それらの好ましい技術および対応する周波数帯域に関する情報を伝達する。このことは、ＣＰＣに対してより大きい帯域幅を確保することを強要することになり、ＣＰＣ専用の帯域幅はペイロードを輸送するために使用できないので、１つの望ましくないことである。言い換えれば、一般的なＲＡＴでは、ＲＡＴの存在の情報が、そのＲＡＴによってカバーされるあらゆるメッシュに対して複製されることにより、帯域幅が大量に浪費され、ＧＳＭ（登録商標）およびＵＭＴＳのような、一般に広域カバレージを特徴とするシステムの場合、システムが存在するメッシュの数、したがってそのシステムの存在に関する情報が複製される回数が多いので、帯域幅の浪費は特に著しい。
【００１４】
Ｐ．Ｃｏｒｄｉｅｒらの文献で提案された第２の解決策の制限は、単一のレベルのＣＰＣの場合と比較して、ＲＡＴにアクセスするために必要な時間がより長いこと、およびテレコムオペレータが自身のＣＰＣをブロードキャストするための認可された帯域幅の一部を犠牲にしなければならないことにある。
【課題を解決するための手段】
【００１５】
出願人は、前述の第１の提案された解決策に対して、移動端末によるネットワークへの接続を円滑にするための情報を伝達するために使用されるチャネルを確立するための帯域幅要件を大幅に低減することができる、ＣＰＣを実装するためのより効率的な解決策を見つけた。特に、出願人は、当該の地理的エリアをいくつかの異なるメッシュに細分し、次いであらゆる単一のメッシュに対して、どのＲＡＴがその中で利用可能であるかを特定する代わりに、既存のＲＡＴに関する情報を伝達して、ＲＡＴごとに、そのＲＡＴによってカバーされるエリアを決定するように適合されたデータ（たとえば、地理的座標）を提供する方がはるかに優れていることを発見した。言い換えれば、本発明によれば、当該の地理的エリアは、結果として、（場合によっては重複する）可変サイズの部分に細分され、各部分は、当該の地理的エリア内に存在するＲＡＴのカバレージエリアに応じて対応する。
【００１６】
本発明の一態様によれば、地理的エリア内で利用可能な、利用可能な無線アクセスネットワークに関する情報を前記地理的エリア中にブロードキャストするステップを含み、前記情報は、前記地理的エリア内の現在の移動通信端末の位置をどの無線アクセスネットワークがカバーするかを決定するために移動通信端末によって使用されるように意図される、無線通信ネットワークへの移動通信端末の接続を可能にするための方法が提供される。
【００１７】
前記情報は、前記地理的エリア内で利用可能な少なくとも１つの無線アクセスネットワークの識別子と、前記少なくとも１つの無線アクセスネットワークの識別子に関連して、前記無線アクセスネットワークによる地理的エリアのカバレージの範囲を決定するように適合されたデータとを含む。
【００１８】
前記少なくとも１つの無線アクセスネットワークは、前記地理的エリア内で利用可能な無線アクセスネットワークのリストを含むことができる。
前記無線アクセスネットワークによる地理的エリアのカバレージの範囲を決定するように適合された前記データは、前記地理的エリア内の少なくとも１つの地理的ポイントの地理的座標を含むことができる。前記データは、長さの指示も含むことができる。前記少なくとも１つポイントは円の中心とすることができ、前記長さの指示は円の半径を規定し、前記円は、前記無線アクセスネットワークによる地理的エリアのカバレージの範囲を記述する。前記無線アクセスネットワークによる地理的エリアのカバレージの範囲を決定するように適合された前記データは、少なくとも２つの地理的ポイントの地理的座標であって地理的エリアのカバレージの範囲を記述する多角形の頂点を規定する前記地理的座標を含んでもよい。
【００１９】
無線アクセスネットワークが地理的エリア全体をカバーする場合、前記無線アクセスネットワークによる地理的エリアのカバレージの範囲を決定するように適合された前記データは、無線アクセスネットワークが地理的エリア全体をカバーすることの指示を含むことができる。
【００２０】
無線アクセスネットワークの識別子は、文字列の形式をとることができる。
前記のブロードキャストに対し、帯域外ブロードキャスト通信チャネルであって当該の前記地理的エリア内に存在する無線アクセスネットワークに割り当てられた認可帯域の外部の周波数帯域内に位置する前記チャネルを利用することができる。代替的に、帯域内ブロードキャスト通信チャネルであって当該の前記地理的エリア内に存在する無線アクセスネットワークに割り当てられた認可帯域内の周波数帯域内に位置する前記チャネルを利用してもよい。前記帯域内ブロードキャスト通信チャネルは、当該の前記地理的エリア内に存在する無線アクセスネットワークのうちの１つの論理チャネルとして規定できる。
【００２１】
本発明の別の態様によれば、前記地理的エリア内で利用可能な、利用可能な無線アクセスネットワークに関する情報の地理的エリア中のブロードキャストを制御するように適合されたネットワーク機能を含み、前記情報は、前記地理的エリア内の現在の移動通信端末の位置をどの無線アクセスネットワークがカバーするかを決定するために移動通信端末によって使用されるように意図される、無線通信ネットワークが提供される。前記情報は、前記地理的エリア内で利用可能な少なくとも１つの無線アクセスネットワークの識別子と、少なくとも１つの無線アクセスネットワークについて、前記無線アクセスネットワークによる地理的エリアのカバレージの範囲を決定するように適合されたデータとを含む。
【００２２】
前記少なくとも１つの無線アクセスネットワークは、前記地理的エリア内で利用可能な無線アクセスネットワークのリストを含むことができる。
前記無線アクセスネットワークによる地理的エリアのカバレージの範囲を決定するように適合された前記データは、前記地理的エリア内の少なくとも１つの地理的ポイントの地理的座標を含むことができる。前記データは、長さの指示も含むことができる。特に、少なくとも１つの地理的ポイントの前記地理的座標は円の中心の地理的位置を規定することができ、前記長さの指示は円の半径を規定し、前記円は、前記無線アクセスネットワークによる地理的エリアのカバレージの範囲を記述する。前記無線アクセスネットワークによる地理的エリアのカバレージの範囲を決定するように適合された前記データは、少なくとも２つの地理的ポイントの地理的座標であって地理的エリアのカバレージの範囲を記述する多角形の頂点を規定する前記地理的座標を含んでもよい。無線アクセスネットワークが地理的エリア全体をカバーする場合、前記無線アクセスネットワークによる地理的エリアのカバレージの範囲を決定するように適合された前記データは、無線アクセスネットワークが地理的エリア全体をカバーすることの指示を含むことができる。
【００２３】
前記無線アクセスネットワークの識別子は、文字列の形式をとることができる。
前記のブロードキャストに対し、帯域外ブロードキャスト通信チャネルであって当該の前記地理的エリア内に存在する無線アクセスネットワークに割り当てられた認可帯域の外部の周波数帯域内に位置する前記チャネルを利用することができる。代替的に、帯域内ブロードキャスト通信チャネルであって当該の前記地理的エリア内に存在する無線アクセスネットワークに割り当てられた認可帯域内の周波数帯域内に位置する前記チャネルが利用される。帯域内ブロードキャスト通信チャネルは、当該の前記地理的エリア内に存在する無線アクセスネットワークのうちの１つの論理チャネルとして規定できる。
【００２４】
本発明の第３の態様によれば、地理的エリア中にブロードキャストされる前記地理的エリア内で利用可能な、利用可能な無線アクセスネットワークに関する情報を無線通信ネットワークから受信するように適合された移動通信端末であって、前記情報は、前記地理的エリア内の現在の移動通信端末の位置をどの無線アクセスネットワークがカバーするかを決定するために移動通信端末によって使用されるように意図される、移動通信端末が提供される。前記移動通信端末前記情報を受信するように適合された受信機を含み、前記情報は、前記地理的エリア内で利用可能な少なくとも１つの無線アクセスネットワークの識別子と、前記識別子に関連して、前記無線アクセスネットワークによる地理的エリアのカバレージの範囲を決定するように適合されたデータとを含む。
【００２５】
本発明のさらに別の態様によれば、前記地理的エリア内で利用可能な、利用可能な無線アクセスネットワークに関する情報を地理的エリア中にブロードキャストするように適合された、無線通信ネットワークの無線基地局であって、前記情報は、前記地理的エリア内の現在の移動通信端末の位置をどの無線アクセスネットワークがカバーするかを決定するために移動通信端末によって使用されるように意図される、無線通信ネットワークの無線基地局が提供される。前記情報は、前記地理的エリア内で利用可能な少なくとも１つの無線アクセスネットワークの識別子と、前記少なくとも１つの無線アクセスネットワークの識別子に関連して、前記無線アクセスネットワークによる地理的エリアのカバレージの範囲を決定するように適合されたデータとを含む。
【００２６】
前記少なくとも１つの無線アクセスネットワークは、前記地理的エリア内で利用可能な無線アクセスネットワークのリストを含むことができる。
前記無線アクセスネットワークによる地理的エリアのカバレージの範囲を決定するように適合された前記データは、前記地理的エリア内の少なくとも１つの地理的ポイントの地理的座標を含むことができる。前記無線アクセスネットワークによる地理的エリアのカバレージの範囲を決定するように適合されたデータは、長さの指示をも含むことができる。特に、少なくとも１つの地理的ポイントの前記地理的座標は円の中心の地理的位置を規定することができ、前記長さの指示は円の半径を規定することができ、前記円は、前記無線アクセスネットワークによる地理的エリアのカバレージの範囲を記述する。前記無線アクセスネットワークによる地理的エリアのカバレージの範囲を決定するように適合された前記データは、少なくとも２つの地理的ポイントの地理的座標であって地理的エリアのカバレージの範囲を記述する多角形の頂点を規定する前記地理的座標を含んでもよい。無線アクセスネットワークが地理的エリア全体をカバーする場合、前記無線アクセスネットワークによる地理的エリアのカバレージの範囲を決定するように適合された前記データは、無線アクセスネットワークが地理的エリア全体をカバーすることの指示を含むことができる。
【００２７】
前記無線アクセスネットワークの識別子は、文字列の形式をとることができる。
前記のブロードキャストに対し、帯域外ブロードキャスト通信チャネルであって当該の前記地理的エリア内に存在する無線アクセスネットワークに割り当てられた認可帯域の外部の周波数帯域内に位置する前記チャネルを利用することができる。代替的に、帯域内ブロードキャスト通信チャネルであって当該の前記地理的エリア内に存在する無線アクセスネットワークに割り当てられた認可帯域内の周波数帯域内に位置する前記チャネルを利用してもよい。帯域内ブロードキャスト通信チャネルは、当該の前記地理的エリア内に存在する無線アクセスネットワークのうちの１つの論理チャネルとして規定できる。
【００２８】
本発明の特徴および利点は、添付の図面を参照する、単に非限定的な例として与えられる実施形態についての以下の詳細な説明を読むことによって明らかになろう。
【図面の簡単な説明】
【００２９】
【図１】本発明が有利に適用される、異種またはマルチＲＡＴ無線通信ネットワーク状況を概略的に示す図である。
【図２】本発明の一実施形態によるシステムのアーキテクチャを概略的に示す図である。
【図３】本発明の一実施形態による通信プロトコルのアーキテクチャを示す図である。
【図４】本発明の一実施形態による通信プロトコルのメッセージの一般的な構造を概略的に示す図である。
【図５】本発明の一実施形態による移動端末キャンピング手順の主なステップを示す概略流れ図である。
【図６】本発明の一実施形態による通信プロトコルのメッセージの第１のタイプの一部の構造を概略的に示す図である。
【図７】本発明の一実施形態における、図５のキャンピング手順の屋外キャンピング手順部分の主なステップを示す概略流れ図である。
【図８Ａ】本発明の一実施形態における、図５のキャンピング手順の屋内キャンピング手順部分の主なステップを示す概略流れ図である。
【図８Ｂ】本発明の一実施形態における、図５のキャンピング手順の屋内キャンピング手順部分の主なステップを示す概略流れ図である。
【図８Ｃ】本発明の一実施形態における図５のキャンピング手順の屋内キャンピング手順部分の主なステップを示す概略流れ図である。
【図９】本発明の一実施形態による通信プロトコルのメッセージの第２のタイプの一部の構造を概略的に示す図である。
【図１０】本発明の一実施形態による通信プロトコルのメッセージの第３のタイプの一部の構造を概略的に示す図である。
【図１１】本発明の一実施形態による通信プロトコルのメッセージの第４のタイプの一部の構造を概略的に示す図である。
【図１２】本発明の一実施形態による通信プロトコルのメッセージの第５のタイプの一部の構造を概略的に示す図である。
【図１３】本発明の一実施形態による通信プロトコルのメッセージの第６のタイプの一部の構造を概略的に示す図である。
【図１４】本発明の一実施形態による通信プロトコルのメッセージの第７のタイプの一部の構造を概略的に示す図である。
【図１５】本発明の一実施形態における、移動端末を再構成するためのソフトウェアモジュールのダウンロードの手順の間に交換されるメッセージを概略的に示すシグナリング図である。
【発明を実施するための形態】
【００３０】
図面を参照すると、図１には、本発明が有利に適用される、異種またはマルチＲＡＴ無線通信状況が概略的に示されている。当該の地理的エリア１００は、無線信号の観点から、同じまたは異なるテレコムオペレータによって管理される、ＲＡＴｊ、ＲＡＴｋ、ＲＡＴｍ、ＲＡＴｎの異なるＲＡＴを実装する２つ以上、図示の例では４つの異なる無線アクセスネットワーク（ＲＡＮ）によってカバーされる。それらの異なるＲＡＴは、たとえば、ＧＳＭ（登録商標）  ＲＡＴ、ＧＳＭ（登録商標）／ＧＰＲＳ  ＲＡＴ、ＧＳＭ（登録商標）／ＧＰＲＳ／ＥＤＧＥ  ＲＡＴ、ＵＭＴＳ  ＦＤＤ（周波数分割複信）ＲＡＴ、ＵＭＴＳ  ＴＤＤ（時分割複信）ＲＡＴ、ＷＬＡＮ（たとえば、ＩＥＥＥ８０２．１１ａ／ｂ／ｇ）ＲＡＴ、ＣＤＭＡ２０００  ＲＡＴ、ＩＳ−９５  ＲＡＴを含む。ＲＡＮの数および特定のタイプは、本発明にとって限定的ではない。各ＲＡＮは、前記ＲＡＮのテレコムオペレータ所有者の配備選択に依存するそれぞれのカバレージエリア１０５ｊ、１０５ｋ、１０５ｍ、１０５ｎを有する。
【００３１】
参照番号１１０は、異なるＲＡＴで、具体的にはＲＡＴｊ、ＲＡＴｋ、ＲＡＴｍ、ＲＡＴｎの４つの異なるＲＡＴのうちの２つ以上で作動することが可能なマルチモードおよび／または再構成可能な移動通信端末を示す。
【００３２】
一般に、異種無線通信状況に属するネットワークに接続するために、移動端末１１０は、移動端末の現在位置でどれが利用可能なＲＡＴであるかを知り、最適なＲＡＴを選択する必要がある。移動端末が再構成可能な端末であり、利用可能なＲＡＴがその現在の構成によってサポートされない場合、移動端末は、その構成の変更に必要なソフトウェアをダウンロードすることができる。再構成可能な端末は、たとえば、参照により本明細書に組み込まれる、公開国際出願第ＷＯ２００６／０４５３３４号に記載されている。
【００３３】
本発明によれば、異種無線通信ネットワークに接続するタスクを円滑にするために移動通信端末によって利用される情報を当該の地理的エリア１００中に伝達するために、以下ＲＡＳＤ（Ｒａｄｉｏ  Ａｗａｒｅ  ａｎｄ  Ｓｏｆｔｗａｒｅ  Ｄｏｗｎｌｏａｄ）チャネルと呼ぶ専用の通信チャネルと、関連する通信プロトコルとが確立される。
【００３４】
図２は、本発明の一実施形態によるシステムのアーキテクチャを機能ブロックの観点から示す。ＲＡＳＤチャネルを介して送信／受信するための複数のＲＡＳＤトランシーバノードまたは局２０５が当該の地理的エリア１００中に配備され、一般的なトランシーバ局２０５はそれぞれの無線カバレージエリア２１０を有する。ＲＡＳＤトランシーバ局２０５は、たとえばＧＳＭ（登録商標）のＢＴＳ（基地トランシーバ局）またはＵＭＴＳのノードＢ、あるいは再構成可能なＭＳＢＳ（マルチスタンダード基地局）のような、移動電話通信ネットワークの基地局と同様のトランシーバ局である。ＲＡＳＤトランシーバ局２０５はまた、異種ネットワークの異なるＲＡＴのトランシーバ局と共存することができる。
【００３５】
ＲＡＳＤトランシーバ局２０５はＲＡＳＤコントローラノード２１５とワイヤレスおよび／または有線の通信関係にある。ＲＡＳＤコントローラノード２１５は、ＲＡＳＤトランシーバ局２０５によって送信される情報コンテンツを管理する役目を果たすネットワーク機能を実装する。ＲＡＳＤコントローラノード２１５はまた、後で詳細に説明するように、移動通信端末１１０によって発行され、ＲＡＳＤチャネルを介して送信される情報要求、具体的には異種無線通信状況のＲＡＴによる当該エリアのカバレージ１００に関する情報の要求を搬送するメッセージを管理する役目を果たす。さらに、ＲＡＳＤコントローラノード２１５は、再構成可能な移動通信端末をその移動通信端末の現在位置に存在するＲＡＴで作動するように適合させるために、移動通信端末を再構成するように適合された有効なソフトウェアの、再構成可能な移動通信端末へのダウンロードを処理する役目を果たす。
【００３６】
ＲＡＳＤコントローラノード２１５は、たとえばネットワーク操作および管理機能によって与えられるネットワーク計画データ２２０から、当該エリア１００内に存在する異なるＲＡＴと、それらの無線カバレージに関する情報とを得ることができる。
【００３７】
参照番号２２５は、たとえばＧＰＳのような地理的位置特定システムを示し、移動通信端末１１０は、当該のエリア内のそれらの位置を決定するためにそのシステムを利用するように適合される。
【００３８】
好ましくは、移動通信端末１１０は短距離ワイヤレス、たとえば無線通信機能を有し、たとえば、移動通信端末１１０はブルートゥースインターフェース、ＺｉｇＢｅｅインターフェース、ＨｏｍｅＲＦインターフェース、ＩＲインターフェースなどを備え、それらによって移動通信端末１１０は最大１００メートルの距離の範囲内に位置する近接移動通信端末、または他のローカル装置と直接通信することができる。
【００３９】
図３は、本発明の一実施形態によるＲＡＳＤ通信プロトコルのアーキテクチャを図式的に示す。プロトコルスタックの最下位レベル（特に、ＯＳＩスタックの第１層および第２層、すなわち物理層および接続層）は、ＲＡＳＤコントローラノード２１５（ブロック３０５−ｃ）と、一般的なＲＡＳＤトランシーバ局２０５（ブロック３０５−ｓ）と、移動通信端末１１０（ブロック３０５−ｔ）とに実装される。ＲＡＳＤプロトコルは、ＲＡＳＤコントローラノード２１５（ブロック３１０−ｃ）と、移動通信端末１１０（ブロック３１０−ｔ）とに実装されるＲＡＳＤ制御プロトコル層（ＯＳＩスタックの第３レベル）をさらに含む。特に移動通信端末および一般的なＲＡＳＤトランシーバ局における最下位プロトコル層の特定の実装は、それ自体限定的ではない。特に、物理層を実装するためには、既存のＲＡＴの１つ、たとえば（あらゆる無線チャネルに対して、２００ＫＨｚに等しい帯域幅を確立する）ＧＳＭ（登録商標）を利用するか、または専用のＲＡＳＤ無線層を規定することができる。
【００４０】
本発明の一実施形態によれば、当該の地理的エリア１００中にブロードキャストするためにＲＡＳＤコントローラノード２１５によってＲＡＳＤトランシーバ局２０５に提供される情報は、利用可能なＲＡＴのタイプ（たとえば、ＧＳＭ（登録商標）、ＧＳＭ（登録商標）／ＧＰＲＳ、ＧＳＭ（登録商標）／ＧＰＲＳ／ＥＤＧＥ、ＵＭＴＳ  ＦＤＤ、ＵＭＴＳ  ＴＤＤ、ＩＥＥＥ８０２．１１ａ／ｂ／ｇ、ＣＤＭＡ２０００、ＩＳ−９５）を含む。ＲＡＴごとに、ＲＡＳＤコントローラノード２１５は前記ＲＡＴのカバレージエリアに関する指示をさらに与える。
【００４１】
本発明の好ましい実施形態によれば、ＲＡＳＤチャネルを介して当該のエリア中にブロードキャストされる指示である、既存のＲＡＴの各々のカバレージエリアに関する指示が、既存のＲＡＴの各々に関して、データの形式で与えられ、そのデータから、対応するＲＡＴのカバレージエリア、たとえば、ＲＡＴのカバレージエリアを表す仮想の円の中心の座標（緯度と経度）、および円の半径の測定値（たとえば、メートルまたは他の長さの単位において）、またはＲＡＴのカバレージエリアを表す仮想の長方形の対角線の２つの隅の座標（緯度と経度）、あるいはＲＡＴのカバレージエリアを表す仮想の多角形の頂点の座標（緯度と経度）などを得ることができる。当該の地理的エリアの所与のゾーンには２つ以上のＲＡＴが存在するので、カバレージに関するこれらの指示は、互いに重なることがあるそれぞれのＲＡＴによるそれぞれのカバレージエリアを規定する。
【００４２】
このように、ＲＡＳＤチャネルを介してブロードキャストされるデータの量、したがってＲＡＳＤチャネル帯域幅要件は、特に、当該の地理的エリアをゾーンに細分し、ゾーンごとに、そのゾーン内で利用可能なＲＡＴに関する情報をブロードキャストする解決策と比較して、相対的に限定されている。実際に、特に、ＧＳＭ（登録商標）およびＵＭＴＳのように広域カバレージを有するシステムの場合、当該の地理的エリアが細分されるあらゆるゾーン（そのサイズは比較的小さくなければならない）に対して、どのＲＡＴがその中で利用可能であるかに関する情報を繰り返すことは大きな冗長をもたらす（これらの場合、ＧＳＭ（登録商標）システムまたはＵＭＴＳシステムのカバレージエリアを構成するいくつかのゾーンのすべてに対して同じ情報「ＧＳＭ（登録商標）」または「ＵＭＴＳ」を繰り返されなければならない）。
【００４３】
本発明の一実施形態による一般的なＲＡＳＤプロトコルメッセージの構造を図４に示す。全体的に４００で示したＲＡＳＤプロトコルメッセージは、メッセージのタイプの指示を含むように意図されたフィールド４０５（「ＭＥＳＳＡＧＥ＿ＴＹＰＥ」）と、メッセージが、すべての移動通信端末に向けられたブロードキャストメッセージ（値「ＢＲＯＡＤＣＡＳＴ」）であるか、特定の移動通信端末に向けられたシングルキャストメッセージ（値「ＳＩＮＧＬＥＣＡＳＴ」）であるかを指定する値を含むように意図されたフィールド４１０（「ＭＥＳＳＡＧＥ＿ＳＣＯＰＥ」）と、フィールド４１０中に含まれる値が、メッセージがシングルキャストメッセージであることを指定する場合に存在し、メッセージが向けられる移動通信端末の識別子を含むように意図された任意選択のフィールド４１５（「ＵＥ＿ＩＤ」）と、メッセージ４００の情報コンテンツを含むように意図されたフィールド４２０（「ＳＰＥＣＩＦＩＣ＿ＤＡＴＡ」）とを含む。
【００４４】
以下で、図５を参照しながら、一般的なＲＡＳＤトランシーバ局２０５によってカバーされ、移動通信端末１１０が位置するエリア２１０内で利用可能なＲＡＴのうちの１つに移動通信端末１１０が接続できるようにする、本発明の一実施形態によるキャンピングアルゴリズムについて説明する。移動通信端末１１０は、複数の異なるＲＡＴで作動することが可能なマルチモードハンドセットであると仮定する。また、移動通信端末が接続しなければならないＲＡＴに応じて、移動通信端末は再構成可能であり、すなわちその無線通信機能が再プログラムでき、その端末の再プログラミングに必要な有効なソフトウェアモジュールがその端末で利用可能でない場合、その端末は、その必要な有効なソフトウェアモジュールをダウンロードする「オーバ・ザ・エア」（「ＯＴＡ」）が可能であると仮定する。
【００４５】
ＲＡＳＤコントローラノード２１５は、各ＲＡＳＤトランシーバ局２０５に、それぞれのエリア２１０内の異なるＲＡＴの無線カバレージに関する情報を送信するためのカバレージ情報ブロードキャスト手順（ブロック５０１）を定期的に開始する。その情報は、ＲＡＳＤトランシーバ局２０５がそれぞれのエリア２１０中にブロードキャストするブロードキャストメッセージである「ＣＯＶＥＲＡＧＥ  ＩＮＦＯＲＭＡＴＩＯＮ」メッセージ中に含まれる。
【００４６】
「ＣＯＶＥＲＡＧＥ  ＩＮＦＯＲＭＡＴＩＯＮ」メッセージは、図４に示す一般的な構造を有し、「ＳＰＥＣＩＦＩＣ＿ＤＡＴＡ」フィールド４２０は、１つまたは複数のブロック（「ＣＯＶＥＲＡＧＥ  ＩＮＦＯＲＭＡＴＩＯＮ  ＢＬＯＣＫ」、すなわち「ＣＩＢ」）を各ＲＡＴに対して１つ含む。一般的な「ＣＩＢ」の構造を図６に概略的に示す。「ＣＩＢ」６００は、最高６つのフィールド６０５、６１０、６１５、６２０、６２５および６２７を含む。フィールド６０５（「ＲＡＴ＿ＴＹＰＥ」）は、ＲＡＴのタイプに関する指示を含むように意図される。たとえば、「ＲＡＴ＿ＴＹＰＥ」フィールド６０５は、値「ＧＳＭ（登録商標）」、「ＧＳＭ（登録商標）／ＧＰＲＳ」、「ＧＳＭ（登録商標）／ＧＰＲＳ／ＥＤＧＥ」、「ＵＭＴＳ  ＦＤＤ」、「ＵＭＴＳ  ＴＤＤ」、「ＩＥＥＥ８０２．１１ａ／ｂ／ｇ」、「ＣＤＭＡ２０００」、「ＩＳ−９５」のリストから選択される値を含むことができる。フィールド６１０（「ＣＯＶＥＲＡＧＥ＿ＥＸＴ」）は、当該のＲＡＴが当該のＲＡＳＤトランシーバ局２０５のエリア２１０全体をカバーするのか（値「ＧＬＯＢＡＬ」）、またはそのＲＡＴがエリア２１０の一部のみをカバーするのか（値「ＬＯＣＡＬ」）を指定する値を含むように意図される。フィールド６１５（「ＣＯＶＥＲＡＧＥ＿ＡＲＥＡ」）は任意選択であり、「ＣＯＶＥＲＡＧＥ＿ＥＸＴ」フィールド６１０に含まれる値が「ＬＯＣＡＬ」に等しい場合のみ存在する。「ＣＯＶＥＲＡＧＥ＿ＡＲＥＡ」フィールド６１５は、当該のＲＡＴのカバレージエリアを指定するように適合されたデータを含むように意図される。たとえば、上記のように、カバレージエリアは仮想の円として表すことができ、その場合「ＣＯＶＥＲＡＧＥ＿ＡＲＥＡ」フィールド６１５は３つのサブフィールド６３０（「ＣＥＮＴＥＲ＿ＬＡＴ」）、６３５（「ＣＥＮＴＥＲ＿ＬＯＮＧ」）および６４０（「ＲＡＤＩＵＳ」）を含む。サブフィールド６３０およびサブフィールド６３５は、それぞれのＲＡＴのカバレージエリアを規定するために使用される仮想の円の中心の座標（緯度と経度）に関する指示を含むように意図され、フィールド６４０は仮想の円の半径の測定値（たとえば、メートルにおいて）を含むように意図される。フィールド６２０（「ＯＰＥＲＡＴＯＲ＿ＩＤ」）は、そのＲＡＴを管理するテレコムオペレータの識別子を含むように意図される。フィールド６２５（「ＲＦ＿ＢＡＮＤ」）は、当該のＲＡＴに割り当てられた周波数帯域の指示を含むように意図される。「ＲＦ＿ＢＡＮＤ」フィールド６２０は、３つのサブフィールド６４５（「ＩＮＩＴ＿ＦＲＥＱ」）、６５０（「ＦＩＮＡＬ＿ＦＲＥＱ」）および６５５（「ＣＨ＿ＢＡＮＤ」）を含むことができる。サブフィールド６４５およびサブフィールド６５０は、ＲＡＴに割り当てられた周波数帯域の最初の周波数および最後の周波数（たとえば、ＫＨｚ単位）を示す値を含むように意図され、フィールド６５５は、当該のＲＡＴに割り当てられた各チャネルの帯域幅（たとえば、ＫＨｚ単位）を指定する値を含むように意図される。フィールド６２７（「ＰＲＩＯＲＩＴＹ」）は、当該のＲＡＴに割り当てられた優先順位を指定する値を含むよう��意図される。「ＣＩＢ」６００のこれらのフィールド内で指定された優先順位値は、「ＣＯＶＥＲＡＧＥ  ＩＮＦＯＲＭＡＴＩＯＮ」メッセージ内の「ＣＩＢ」６００の順序を決定するために使用でき、それにより、より高い優先順位を有するＲＡＴに関する「ＣＩＢ」６００は、より低い優先順位を有するＲＡＴに関する「ＣＩＢ」６００より優先する。
【００４７】
ＲＡＳＤコントローラノード２１５は、たとえば、「ＣＯＶＥＲＡＧＥ  ＩＮＦＯＲＭＡＴＩＯＮ」メッセージを所定の周期性で（たとえば、ＧＳＭ（登録商標）の第１層および第２層を使用すると仮定すると、４８０ｍｓごとに）送信することができる。ブロードキャストのために選択された時間周期が「ＣＯＶＥＲＡＧＥ  ＩＮＦＯＲＭＡＴＩＯＮ」メッセージ全体を送信するのに十分ではない場合、ＲＡＳＤコントローラノード２１５は次の「ＣＯＶＥＲＡＧＥ  ＩＮＦＯＲＭＡＴＩＯＮ」メッセージの送信を、「ＣＯＶＥＲＡＧＥ  ＩＮＦＯＲＭＡＴＩＯＮ」メッセージ全体の送信を完了するのに必要なだけ、その選択された時間周期の複数倍、遅らせることができる。
【００４８】
図５に戻って、ＲＡＳＤコントローラノード２１５は、移動通信端末から受信する要求をリッスンし（ブロック５０３）、要求が受信された場合（ブロック５０３の出口分岐Ｙ）、その要求は処理される（ブロック５０５）。受信されない場合（ブロック５０３の出口分岐Ｎ）、ＲＡＳＤコントローラノード２１５は再びカバレージ情報ブロードキャスト手順を開始する（ブロック５０１）。
【００４９】
本発明の一実施形態によれば、キャンピングアルゴリズムは、たとえば屋内環境にあるので、ＧＰＳ信号が移動通信端末によって受信されないために、移動通信端末がその地理的位置を確認することができない状況に対処するように適合される。
【００５０】
具体的には、一般的な移動通信端末１１０の電源が入ると（ブロック５０７）、移動通信端末は、ＧＰＳ信号を受信しているかどうかを確認する（ブロック５０９）。一般に移動通信端末が屋外に位置するときに生じる、はいの場合（ブロック５０９の出口分岐Ｙ）、移動通信端末１１０は屋外キャンピング手順を開始し（ブロック５１１）、一般に移動通信端末が屋内に位置するときに生じる、いいえの場合（ブロック５０９の出口分岐Ｎ）、移動通信端末がＧＰＳ信号を受信しなければ、移動通信端末１１０は屋内キャンピング手順を開始する（ブロック５１３）。次いでキャンピング手順が終了する（ブロック５１５）。
【００５１】
屋外キャンピング手順および屋内キャンピング手順について、それぞれ図７と、図８Ａ、図８Ｂおよび図８Ｃの概略流れ図を用いて、以下で詳細に説明する。
図７を参照すると、屋外キャンピング手順では、移動通信端末１１０は、端末１１０が位置するエリアをカバーするＲＡＳＤトランシーバ局２０５によって送信されるＲＡＳＤチャネル上でその無線受信機を同調させる（ブロック７０１）。
【００５２】
移動通信端末１１０は、ＲＡＳＤトランシーバ局２０５によってブロードキャストされた「ＣＯＶＥＲＡＧＥ  ＩＮＦＯＲＭＡＴＩＯＮ」メッセージを受信し、その情報コンテンツを復号し、受信した「ＣＯＶＥＲＡＧＥ  ＩＮＦＯＲＭＡＴＩＯＮ」メッセージの１つまたは複数の「ＣＩＢ」６００に含まれる情報を記憶する（ブロック７０３）。
【００５３】
次いで、移動通信端末１１０は、ＧＰＳ信号を利用してその位置を決定する（ブロック７０５）。
次いで、移動通信端末１１０は、受信した「ＣＯＶＥＲＡＧＥ  ＩＮＦＯＲＭＡＴＩＯＮ」メッセージに含まれていた「ＣＩＢ」６００の走査を開始する（ブロック７０７）。
【００５４】
第１の「ＣＩＢ」６００から開始して、移動通信端末１１０は、「ＣＯＶＥＲＡＧＥ＿ＥＸＴ」フィールド６１０に含まれる値が、検査された「ＣＩＢ」６００の対応するＲＡＴがエリア２１０全体をカバーすることを意味する「ＧＬＯＢＡＬ」に等しいかどうかをチェックする（ブロック７０９）。はいの場合、移動通信端末１１０は、それが検査された「ＣＩＢ」６００の「ＲＡＴ＿ＴＹＰＥ」フィールド６０５内で指定されたＲＡＴ用に構成されているかどうかをチェックし（ブロック７１１）、構成されている場合（ブロック７１１の出口分岐Ｙ）、移動通信端末１１０はそのＲＡＴに接続し（ブロック７１３）、屋外キャンピング手順が終了する。好ましい一実施形態では、移動通信端末１１０は、フィールド６２０内の識別子によって示されるテレコムオペレータが好ましいテレコムオペレータのリスト、たとえばその端末のＳＩＭ（加入者識別モジュール）内に記憶されている前記リストの１つであるかどうかをチェックし、はいの場合、移動通信端末は、そのＲＡＴを選択し、いいえの場合、別のＲＡＴを探索することができる。最終的に、利用可能なＲＡＴのいずれも好ましいテレコムオペレータに属さない場合、端末は第１の利用可能なＲＡＴを選択する。
【００５５】
代わりに、移動通信端末１１０がそのＲＡＴ用に構成されていない場合（ブロック７１１の出口分岐Ｎ）、端末は、そのＲＡＴ用に自己再構成するための必要な有効なソフトウェアモジュールをすでに備えているかどうかを確認する（ブロック７１５）。はいの場合（出口分岐Ｙ）、移動通信端末１１０は、指定されたＲＡＴ用に自己再構成し（ブロック７１７）、そのＲＡＴに接続し（ブロック７１３）、いいえの場合（ブロック７１５の出口分岐Ｎ）、さらなる「ＣＩＢ」６００がある場合（ブロック７１９、出口分岐Ｙ）、別のＲＡＴに関する次の「ＣＩＢ」６００を選択し、上記の動作を繰り返し、さらなる「ＣＩＢ」６００がない場合（ブロック７１９、出口分岐Ｎ）、移動通信端末１１０は、端末再構成ダウンロード手順（ブロック７２１）を開始して、最高優先順位ＲＡＴで動作するようにその端末を再構成する（ブロック７２３）ために必要なソフトウェアモジュールをダウンロードし、次いでそのＲＡＴに接続する（ブロック７１３）。
【００５６】
ブロック７０９に戻って、「ＣＯＶＥＲＡＧＥ＿ＥＸＴ」フィールド６１０に含まれる値が、当該のＲＡＴがエリア２１０全体をカバーするわけではないことを意味する「ＬＯＣＡＬ」に等しい場合（出口分岐Ｎ）、移動通信端末１１０は、その移動端末が位置するエリア２１０内のそのＲＡＴのカバレージエリアを決定するように適合された指示が提供される「ＣＯＶＥＲＡＧＥ＿ＡＲＥＡ」フィールド６１５をチェックする（ブロック７２５）。たとえば、ＲＡＴカバレージエリアを表す仮想の円の中心の座標および半径を指定するデータを利用して、移動通信端末１１０はＲＡＴカバレージエリアを決定する。次いで、移動通信端末１１０は（ＧＰＳ信号を利用してブロック７０５で決定した）その現在位置がＲＡＴカバレージエリア内にあるかどうかを決定する（ブロック７２７）。はいの場合、移動通信端末１１０は、ブロック７１１〜７２３によって図示された上記の同じ動作を実行する。代わりに、移動通信端末１１０が、その現在位置がＲＡＴカバレージエリア内にないと判定した場合（ブロック７２７の出口分岐Ｎ）、移動通信端末１１０は、次の記憶した「ＣＩＢ」６００がもしあれば（ブロック７１９の出口分岐Ｙ）、それに移動し（ブロック７０７）、いま説明した同じ方法でそれを検査し、または後で説明する端末再構成ダウンロード手順を開始し（ブロック７２１）、次いで最高優先順位ＲＡＴに接続する（ブロック７２３）。
【００５７】
本発明の好ましいが、限定的ではない一実施形態による屋内キャンピング手順を図８Ａ、図８Ｂおよび図８Ｃの流れ図に図示する。ＧＰＳ信号がないと判定した後、移動通信端末１１０は（オフにされる前に受信した）前の「ＣＯＶＥＲＡＧＥ  ＩＮＦＯＲＭＡＴＩＯＮ」メッセージとともに受信した利用可能なカバレージ情報データがそのメモリ内にあるかどうかをチェックする（ブロック８０１）。はいの場合（出口分岐Ｙ）、移動通信端末１１０は、そのメモリ内に記憶されている「ＣＩＢ」６００の走査を開始する（ブロック８０３）。記憶した「ＣＩＢ」６００のうちの最初の「ＣＩＢ」６００から開始して、移動通信端末１１０は、「ＣＯＶＥＲＡＧＥ＿ＥＸＴ」フィールド６１０に含まれる値が「ＧＬＯＢＡＬ」に等しいかどうかをチェックする（ブロック８０５）。はいの場合（出口分岐Ｙ）、移動通信端末１１０は、それが検査された「ＣＩＢ」６００の「ＲＡＴ＿ＴＹＰＥ」フィールド６０５内で指定されたＲＡＴ用に構成されているかどうかをチェックし（ブロック８０７）、構成されている場合（ブロック８０７の出口分岐Ｙ）、移動通信端末１１０はそのＲＡＴに接続し（ブロック８０９）、屋内キャンピング手順が終了する。代わりに、移動通信端末１１０がそのＲＡＴ用に構成されていない場合（ブロック８０７の出口分岐Ｎ）、端末は、そのＲＡＴ用に自己再構成するために必要なソフトウェアモジュールをすでに備えているかどうかを確認する（ブロック８１１）。はいの場合（出口分岐Ｙ）、移動通信端末１１０は、指定されたＲＡＴ用に自己再構成し（ブロック８１３）、そのＲＡＴに接続し（ブロック８０９）、いいえの場合（ブロック８１１の出口分岐Ｎ）、さらなる「ＣＩＢ」６００がある場合（ブロック８１５、出口分岐Ｙ）、別のＲＡＴに関する次の「ＣＩＢ」６００を選択し、上記の動作を繰り返す。
【００５８】
同様に、「ＣＯＶＥＲＡＧＥ＿ＥＸＴ」フィールド６１０に含まれる値が「ＬＯＣＡＬ」に等しく（ブロック８０５の出口分岐Ｎ）、さらなる「ＣＩＢ」６００がある場合、移動通信端末は次の「ＣＩＢ」６００を選択し、上記の動作を繰り返す。
【００５９】
言い換えると、たとえばＧＰＳ信号がないために、移動通信端末がその位置を決定することができないとき、移動端末が、ＲＡＳＤチャネルを介して前回受信した情報に基づいて、それが位置するエリア２１０を全体的にカバーするＲＡＴがあることを確認した場合、移動端末はそのＲＡＴに接続しようとするが、エリア２１０全体ではなくその一部のみをカバーするＲＡＴによってカバーされるエリア２１０の部分には移動端末がないことがあるために、移動端末はそのＲＡＴに接続しようとしない。
【００６０】
さらなる「ＣＩＢ」６００がない場合（ブロック８１５、出口分岐Ｎ）、またはそのメモリ内に利用可能なカバレージ情報データがない場合（ブロック８０１の出口分岐Ｎ）、移動通信端末１１０は、近接移動通信端末との通信を確立しようと試みるために短距離無線通信セッションを開始し、そこから、欠落したまたは更新されたカバレージ情報データを得ることができる（ブロック８１７）。
【００６１】
移動通信端末１１０は、近接移動端末から応答を受信するとすぐに、他の近接移動端末から受信する可能なさらなる応答を無視し、応答した移動端末とカバレージ情報要求手順を開始する（ブロック８１９）。
【００６２】
本発明の一実施形態によれば、カバレージ情報要求手順は、短距離無線通信要求に応答した近接移動端末に「ＣＯＶＥＲＡＧＥ  ＩＮＦＯＲＭＡＴＩＯＮ  ＲＥＱＵＥＳＴ」メッセージを送信することを、移動通信端末１１０に要求する。
【００６３】
「ＣＯＶＥＲＡＧＥ  ＩＮＦＯＲＭＡＴＩＯＮ  ＲＥＱＵＥＳＴ」メッセージは、図４に示した一般的な構造を有し、図９に概略的に示した「ＳＰＥＣＩＦＩＣ＿ＤＡＴＡ」フィールド４２０は、移動通信端末によって特定されるＲＡＴの指示を含むように意図されるフィールド９０５（「ＩＤＥＮＴ＿ＲＡＴ＿ＴＹＰＥ」）と、移動通信端末によって実行されるフィールド９０５内で指定されたＲＡＴの無線信号レベルに関する測定値のリストを含むように意図されるフィールド９１０（「ＲＡＴ＿ＭＥＡＳＵＲＥＳ」）とを備える。フィールド９１０の情報要素の各々（各測定値に対して１つの情報要素）は、それに関して測定が実行されたＲＡＴトランシーバ局の識別子を含むように意図されるフィールド９１５（「ＢＴＳ＿ＩＤ」）と、フィールド９１５内で指定されたトランシーバ局に対して行われた測定から得られた値を含むように意図されるフィールド９２０（「ＭＥＡＳＵＲＥＤ＿ＬＥＶＥＬ」）とからなる。
【００６４】
カバレージ情報要求手順を開始する移動通信端末１１０によって送信される「ＣＯＶＥＲＡＧＥ  ＩＮＦＯＲＭＡＴＩＯＮ  ＲＥＱＵＥＳＴ」メッセージは、未定義値（これらのデータは近接移動端末には不要である）に設定されるすべてのフィールドを有する。
【００６５】
移動通信端末１１０から「ＣＯＶＥＲＡＧＥ  ＩＮＦＯＲＭＡＴＩＯＮ  ＲＥＱＵＥＳＴ」メッセージを受信する近接移動端末は、それに応答して「ＣＯＶＥＲＡＧＥ  ＩＮＦＯＲＭＡＴＩＯＮ  ＲＥＳＰＯＮＳＥ」メッセージを返信する。
【００６６】
「ＣＯＶＥＲＡＧＥ  ＩＮＦＯＲＭＡＴＩＯＮ  ＲＥＳＰＯＮＳＥ」メッセージは、図４に示す一般的な構造を有するシングルキャストメッセージであり、「ＳＰＥＣＩＦＩＣ＿ＤＡＴＡ」フィールド４２０は、メッセージに含まれる１つまたは複数の「ＲＩＢ」（「ＲＡＴ  ＩＮＦＯＲＭＡＴＩＯＮ  ＢＬＯＣＫＳ」）のリストを含むように意図されるフィールドを含む。一般的な「ＲＩＢ」１０００の構造を図１０に示す。それは、ＲＡＴのタイプに関する指示（「ＧＳＭ（登録商標）」、「ＧＳＭ（登録商標）／ＧＰＲＳ」、「ＧＳＭ（登録商標）／ＧＰＲＳ／ＥＤＧＥ」、「ＵＭＴＳ  ＦＤＤ」、「ＵＭＴＳ  ＴＤＤ」、「ＩＥＥＥ８０２．１１ａ／ｂ／ｇ」、「ＣＤＭＡ２０００」、「ＩＳ−９５」）を含むように意図されるフィールド１００５（「ＲＡＴ＿ＴＹＰＥ」）を含み、フィールド１００７（「ＯＰＥＲＡＴＯＲ＿ＩＤ」）は、そのＲＡＴを管理するテレコムオペレータの識別子を含むように意図され、フィールド１０１０（「ＲＦ＿ＢＡＮＤ」）は、当該のＲＡＴに割り当てられた周波数帯域の指示を含むように意図され、その「ＲＦ＿ＢＡＮＤ」フィールド１０１０は３つのサブフィールド１０２０（「ＩＮＩＴ＿ＦＲＥＱ」）、１０２５（「ＦＩＮＡＬ＿ＦＲＥＱ」）および１０３０（「ＣＨ＿ＢＡＮＤ」）を含むことができ、サブフィールド１０２０およびサブフィールド１０２５は、ＲＡＴに割り当てられた周波数帯域の最初の周波数および最後の周波数（たとえば、ＫＨｚ単位）を示す値を含むように意図され、フィールド１０３０は、当該のＲＡＴに割り当てられた各チャネルの帯域幅（たとえば、ＫＨｚ単位）を指定する値を含むように意図されており、フィールド１０２５（「ＰＲＩＯＲＩＴＹ」）は、当該のＲＡＴに割り当てられた優先順位を指定する値を含むように意図される。「ＣＯＶＥＲＡＧＥ  ＩＮＦＯＲＭＡＴＩＯＮ  ＲＥＳＰＯＮＳＥ」メッセージの「ＳＰＥＣＩＦＩＣ＿ＤＡＴＡ」フィールド４２０内では、異なる「ＲＩＢ」１０００は、好ましくは、優先順位値の高いものから順に順序付けられる。
【００６７】
当該の移動通信端末１１０によって開始される短距離無線通信セッションに応答した近接移動通信端末は、利用可能な情報を有する場合、「ＣＯＶＥＲＡＧＥ  ＩＮＦＯＲＭＡＴＩＯＮ  ＲＥＳＰＯＮＳＥ」メッセージのフィールドに記入される。
【００６８】
移動通信端末１１０は、近接移動端末から「ＣＯＶＥＲＡＧＥ  ＩＮＦＯＲＭＡＴＩＯＮ  ＲＥＳＰＯＮＳＥ」メッセージを受信すると、「ＲＩＢ」のリストを含むフィールドがそのメッセージに含まれているかどうかをチェックし、前記リストが空でない場合、「ＲＩＢ」のリストの走査を開始する。（最高優先度を割り当てられているＲＡＴに対応する）第１の「ＲＩＢ」１０００が選択される（ブロック８２１）。移動通信端末１１０は、それが検査された「ＲＩＢ」１０００の「ＲＡＴ＿ＴＹＰＥ」フィールド１００５内で指定されたＲＡＴ用に構成されているかどうかをチェックし（ブロック８２３）、構成されている場合（ブロック８２３の出口分岐Ｙ）、移動通信端末１１０はそのＲＡＴに接続し（ブロック８２５）、屋外キャンピング手順が終了する。好ましい一実施形態では、移動通信端末１１０は、フィールド６２０内の識別子によって示されるテレコムオペレータが好ましいテレコムオペレータのリスト、たとえばその端末のＳＩＭ（加入者識別モジュール）内に記憶されている前記リストの１つであるかどうかをチェックすることができ、はいの場合、移動通信端末はそのＲＡＴを選択することができ、いいえの場合は別のＲＡＴを探索できる。最終的に、利用可能なＲＡＴがどれも好ましいテレコムオペレータに属さない場合、端末は第１の利用可能なＲＡＴを選択することができる。代わりに、移動通信端末１１０がそのＲＡＴ用に構成されていない場合（ブロック８２３の出口分岐Ｎ）、端末は、そのＲＡＴ用に自己構成するために必要なソフトウェアモジュールをすでに備えているかどうかを確認する（ブロック８２７）。はいの場合（出口分岐Ｙ）、移動通信端末１１０は、指定されたＲＡＴ用に自己構成し（ブロック８２９）、そのＲＡＴに接続し（ブロック８２５）、いいえの場合（ブロック８２７の出口分岐Ｎ）、さらなる「ＲＩＢ」１０００がある場合（ブロック８３１、出口分岐Ｙ）、別のＲＡＴに関する次の「ＲＩＢ」１０００を選択し、上記の動作を繰り返す。
【００６９】
近接移動端末によって受信された「ＣＯＶＥＲＡＧＥ  ＩＮＦＯＲＭＡＴＩＯＮ  ＲＥＳＰＯＮＳＥ」メッセージ内にさらなる「ＲＩＢ」１０００がない場合、またはメッセージに含まれる「ＲＩＢ」のリストを含むフィールドが前記リストは空であると示す場合、または、短距離無線通信要求への応答が受信されない場合（ブロック８３１、出口分岐Ｎ）、移動通信端末１１０はＲＡＳＤコントローラノード２１５とカバレージ情報要求手順を開始する（ブロック８３３）。
【００７０】
移動通信端末１１０は最初に、それが現在それ用に構成されているＲＡＴに関して、無線信号レベルの測定を実行する（ブロック８３５）。
次いで、移動通信端末１１０は、ＲＡＳＤチャネルを介してＲＡＳＤコントローラノード２１５に「ＣＯＶＥＲＡＧＥ  ＩＮＦＯＲＭＡＴＩＯＮ  ＲＥＱＵＥＳＴ」メッセージ（図面ではＭ１）を送信する（ブロック８３７）。移動通信端末１１０によって送信された「ＣＯＶＥＲＡＧＥ  ＩＮＦＯＲＭＡＴＩＯＮ  ＲＥＱＵＥＳＴ」メッセージ内の、フィールド９０５およびフィールド９１０は、その端末が現在それ用に構成されているＲＡＴのタイプと、その移動端末によって実行された測定の結果とを含むように設定される。具体的には、移動通信端末１１０は、移動通信端末によって特定されたＲＡＴの指示をフィールド９０５（「ＩＤＥＮＴ＿ＲＡＴ＿ＴＹＰＥ」）内に入れ、フィールド９０５内で指定されたＲＡＴの無線信号レベルに関する、移動通信端末１１０によって実行された測定のリストをフィールド９１０（「ＲＡＴ＿ＭＥＡＳＵＲＥＳ」）内に入れる「ＣＯＶＥＲＡＧＥ  ＩＮＦＯＲＭＡＴＩＯＮ  ＲＥＱＵＥＳＴ」をコンパイルする。具体的には、測定ごとに、移動通信端末は、それに関して測定が実行されたＲＡＴトランシーバ局の識別子をフィールド９１５（「ＢＴＳ＿ＩＤ」）内に入れ、フィールド９１５内で指定されたトランシーバ局に関して行われた測定から得られた値をフィールド９２０（「ＭＥＡＳＵＲＥＤ＿ＬＥＶＥＬ」）内に入れる。
【００７１】
ＲＡＳＤコントローラノード２１５は、「ＣＯＶＥＲＡＧＥ  ＩＮＦＯＲＭＡＴＩＯＮ  ＲＥＱＵＥＳＴ」メッセージを受信し、それに含まれる情報を利用して移動通信端末１１０を位置特定する（ブロック８３９）。任意の位置特定技術、たとえば三角測量技術が利用できる。ＲＡＳＤコントローラノード２１５は、移動通信端末１１０を位置特定すると、端末性能交換手順を開始する（ブロック８４１）。端末性能交換手順では、移動通信端末１１０に「ＣＡＰＡＢＩＬＩＴＹ  ＩＮＦＯＲＭＡＴＩＯＮ  ＲＥＱＵＥＳＴ」メッセージ（図面ではＭ２）を送信する。「ＣＡＰＡＢＩＬＩＴＹ  ＩＮＦＯＲＭＡＴＩＯＮ  ＲＥＱＵＥＳＴ」メッセージは、図４に示す一般的な構造を有するシングルキャストメッセージであり、「ＳＰＥＣＩＦＩＣ＿ＤＡＴＡ」フィールド４２０は空である。
【００７２】
「ＣＡＰＡＢＩＬＩＴＹ  ＩＮＦＯＲＭＡＴＩＯＮ  ＲＥＱＵＥＳＴ」メッセージを受信すると、移動通信端末１１０は端末性能交換手順を開始し（ブロック８４３）、移動通信端末１１０は、ＲＡＳＤコントローラノード２１５に返信される「ＣＡＰＡＢＩＬＩＴＹ  ＩＮＦＯＲＭＡＴＩＯＮ  ＲＥＳＰＯＮＳＥ」メッセージ（図面ではＭ３）をコンパイルする。
【００７３】
「ＣＡＰＡＢＩＬＩＴＹ  ＩＮＦＯＲＭＡＴＩＯＮ  ＲＥＳＰＯＮＳＥ」メッセージは、図４に示した一般的な構造を有するシングルキャストメッセージである。「ＳＰＥＣＩＦＩＣ＿ＤＡＴＡ」フィールド４２０は、図１１に示した構造を有し、それは、移動通信端末１１０によってサポートされる可能な再構成を示す値を含むように意図されるフィールド１１０５（「ＲＥＣＯＮＦ＿ＴＹＰＥ」）を含む。フィールド１１０５が含む値は、移動通信端末１１０がマルチモード端末であり、異なる作動モードで（すなわち、異なるＲＡＴで動作するように）再構成できることを示す「ＭＵＬＴＩ−ＭＯＤＥ」、移動通信端末がモードを変更するためにソフトウェア再構成できることを示す「ＳＯＦＴＷＡＲＥ」、移動通信端末１１０が前の２つの構成タイプの両方をサポートすることを示す「ＡＮＹ」である。フィールド１１１０（「ＳＵＰＰＯＲＴＥＤ＿ＲＡＴｓ」）は、フィールド１１０５に含まれる値が「ＭＵＬＴＩ−ＭＯＤＥ」か「ＡＮＹ」である場合に存在し、その端末によってサポートされるＲＡＴを指定する。このフィールドは、たとえば、値「ＧＳＭ（登録商標）」、「ＧＳＭ（登録商標）／ＧＰＲＳ」、「ＧＳＭ（登録商標）／ＧＰＲＳ／ＥＤＧＥ」、「ＵＭＴＳ  ＦＤＤ」、「ＵＭＴＳ  ＴＤＤ」、「ＩＥＥＥ８０２．１１ａ／ｂ／ｇ」、「ＣＤＭＡ２０００」、「ＩＳ−９５」をとることができる。フィールド１１１５（「ＭＯＤＥＬ＿ＴＹＰＥ」）は、移動通信端末１１０のタイプの指示を含むように意図され、フィールド１１０５に含まれる値が「ＭＵＬＴＩ−ＭＯＤＥ」か「ＡＮＹ」である場合に存在する。
【００７４】
移動通信端末１１０がＲＡＳＤコントローラノード２１５に送信する「ＣＡＰＡＢＩＬＩＴＹ  ＩＮＦＯＲＭＡＴＩＯＮ  ＲＥＳＰＯＮＳＥ」メッセージが、「ＡＮＹ」に設定された「ＲＥＣＯＮＦ＿ＴＹＰＥ」フィールド１１０５と、「ＧＳＭ（登録商標）」に設定された「ＳＵＰＰＯＲＴＥＤ＿ＲＡＴｓ」フィールド１１１０と、端末１１０のモデルを指定する「ＭＯＤＥＬ＿ＴＹＰＥ」フィールド１１１５とを有すると仮定する。
【００７５】
「ＣＡＰＡＢＩＬＩＴＹ  ＩＮＦＯＲＭＡＴＩＯＮ  ＲＥＳＰＯＮＳＥ」メッセージを受信すると、ＲＡＳＤコントローラノード２１５は、当該の例ではＧＳＭ（登録商標）  ＲＡＴに接続するためのソフトウェアモジュールを移動通信端末１１０に送信するために端末再構成ダウンロード手順を開始する（ブロック８４５）。
【００７６】
端末再構成ダウンロード手順は、図１５のシグナリング図に概略的に示すように、移動通信端末１１０に「ＳＯＦＴＷＡＲＥ  ＤＯＷＮＬＯＡＤ  ＩＮＤＩＣＡＴＩＯＮ」メッセージおよび「ＤＡＴＡ  ＢＬＯＣＫ」メッセージを送信することを必要とする。
【００７７】
「ＳＯＦＴＷＡＲＥ  ＤＯＷＮＬＯＡＤ  ＩＮＤＩＣＡＴＩＯＮ」メッセージは、図４に示した一般的な構造を有するシングルキャストメッセージである。「ＳＰＥＣＩＦＩＣ＿ＤＡＴＡ」フィールド４２０は、図１２に示した構造を有し、それは、ダウンロードされているソフトウェアモジュールによってサポートされるＲＡＴを示す値を含むように意図されるフィールド１２０５（「ＲＡＴ＿ＴＹＰＥ」）（「ＲＡＴ＿ＴＹＰＥ」フィールド１２０５の値は、たとえば「ＧＳＭ（登録商標）」、「ＧＳＭ（登録商標）／ＧＰＲＳ」、「ＧＳＭ（登録商標）／ＧＰＲＳ／ＥＤＧＥ」、「ＵＭＴＳ  ＦＤＤ」、「ＵＭＴＳ  ＴＤＤ」、「ＩＥＥＥ８０２．１１ａ／ｂ／ｇ」、「ＣＤＭＡ２０００」、「ＩＳ−９５」である）と、そのコンテンツが送信される無線ブロックの数を示すフィールド１２１０（「ＮＵＭ＿ＢＬＯＣＫＳ」）とを含む。「ＮＵＭ＿ＢＬＯＣＫＳ」フィールドに含まれる値は、受信ウィンドウのサイズを決定するために移動通信端末によって使用される。
【００７８】
「ＤＡＴＡ  ＢＬＯＣＫ」メッセージは、図４に示した一般的な構造を有するシングルキャストメッセージである。「ＳＰＥＣＩＦＩＣ＿ＤＡＴＡ」フィールド４２０は、図１３に示した構造を有し、それは、フィールド１３１５（「ＤＡＴＡ」）に含まれる無線ブロックのシーケンス番号を示す値を含むように意図されるフィールド１３０５（「ＢＬＯＣＫ＿ＮＵＭ」）と、フィールド１３１５のサイズ（たとえば、バイト単位）を示す値を含むように意図されるフィールド１３１０（「ＢＬＯＣＫ＿ＬＥＮＧＴＨ」）とを含み、フィールド１３１５は無線ブロックのデータを含む。
【００７９】
ＲＡＳＤコントローラ２１５から第１の「ＳＯＦＴＷＡＲＥ  ＤＯＷＮＬＯＡＤ  ＩＮＤＩＣＡＴＩＯＮ」メッセージを受信すると、移動通信端末１１０は端末再構成ダウンロード手順を開始する（ブロック８４７）。
【００８０】
移動通信端末１１０は、ＲＡＳＤコントローラ２１５から受信したメッセージに応答して、ＲＡＳＤコントローラノードからのメッセージの受信を肯定応答するまたは否定応答するために「ＤＡＴＡ  ＡＣＫ」メッセージをＲＡＳＤコントローラ２１５に送信する。「ＤＡＴＡ  ＡＣＫ」メッセージは、図４に示した一般的な構造を有し、「ＳＰＥＣＩＦＩＣ＿ＤＡＴＡ」フィールド４２０は図１４に示した構造を有し、それは、肯定応答した無線ブロックのシーケンス番号を含むように意図されるフィールド１４０５（「ＢＬＯＣＫ＿ＮＵＭ」）と、その無線ブロックの受信が肯定応答されたかどうかの指示を含むように意図されるフィールド１４１０とを含む。
【００８１】
端末再構成ダウンロード手順が完了すると、移動通信端末１１０の位置を知っているＲＡＳＤコントローラノード２１５は、ＲＩＢリストを含むように意図されたメッセージフィールド内に、移動端末１１０が位置するエリア内に存在するＲＡＴに関する情報を含む「ＣＯＶＥＲＡＧＥ  ＩＮＦＯＲＭＡＴＩＯＮ  ＲＥＳＰＯＮＳＥ」メッセージ（図面ではＭ４）を生成し、移動通信端末１１０に送信する（ブロック８４９）。
【００８２】
移動通信端末１１０は、「ＣＯＶＥＲＡＧＥ  ＩＮＦＯＲＭＡＴＩＯＮ  ＲＥＳＰＯＮＳＥ」メッセージを受信すると、「ＲＩＢ」のリストの走査を開始する。（最高優先度を割り当てられているＲＡＴに対応する）第１の「ＲＩＢ」１０００が選択される（ブロック８５１）。移動通信端末１１０は、それが検査された「ＲＩＢ」１０００の「ＲＡＴ＿ＴＹＰＥ」フィールド１００５内で指定されたＲＡＴ用に構成されているかどうかをチェックし（ブロック８５３）、構成されている場合（ブロック８５３の出口分岐Ｙ）、移動通信端末１１０はそのＲＡＴに接続し（ブロック８５５）、屋内キャンピング手順が終了する。好ましい一実施形態では、移動通信端末１１０は、フィールド６２０内の識別子によって示されるテレコムオペレータが好ましいテレコムオペレータのリスト、たとえばその端末のＳＩＭ（加入者識別モジュール）内に記憶されている前記リストの１つであるかどうかをチェックすることができ、はいの場合、移動通信端末はそのＲＡＴを選択することができ、いいえの場合は別のＲＡＴを探索できる。最終的に、利用可能なＲＡＴがどれも好ましいテレコムオペレータに属さない場合、端末は第１の利用可能なＲＡＴを選択することができる。代わりに、移動通信端末１１０がそのＲＡＴ用に構成されていない場合（ブロック８５３の出口分岐Ｎ）、端末は、そのＲＡＴ用に自己構成するために必要なソフトウェアモジュールをすでに備えているかどうかを確認する（ブロック８５７）。はいの場合（出口分岐Ｙ）、移動通信端末１１０は、指定されたＲＡＴ用に自己構成し（ブロック８５９）、そのＲＡＴに接続し（ブロック８５５）、いいえの場合（ブロック８５７の出口分岐Ｎ）、さらなる「ＲＩＢ」１０００がある場合（ブロック８６１、出口分岐Ｙ）、別のＲＡＴに関する次の「ＲＩＢ」１０００を選択し、移動通信端末が使用することができるＲＡＴが見つかるまで上記の動作を繰り返す。
【００８３】
本発明は、ＤＳＡ技術が実装される状況を含む任意の異種無線通信状況で一般に適用可能であり、それによってテレコムオペレータは、認可帯域を自由に利用して、それを同じまたは異なるＲＡＴに割り当てることが可能なサブバンドに分割することができる。ＤＳＡ技術を用いると、たとえば異なるシステムにおけるトラフィック負荷に応じて、ネットワーク構成をかなり可変にすることができる。（要求の数が利用可能な無線リソースを上回るので）異種状況のシステムの１つが輻輳である状況では、未使用の無線リソース、たとえば（同じシステムまたは異なるシステムに属する）隣接するネットワークセルの空き搬送波を使用することができる。たとえば、公開国際出願第ＷＯ２００６／０６４３０２号に記載されているＧＳＭ（登録商標）システムのＢＴＳを再構成するための方法および搬送波割り当てのための方法が採用できる。その場合、ネットワーク無線リソースを管理するネットワークエンティティ（すなわち、無線リソース管理（ＲＲＭ）サーバ）は、スペクトル割り当ておよびそれぞれのＲＡＴに関する情報をＲＡＳＤコントローラノード２１５に与えることができ、それによりＲＡＳＤコントローラノードはネットワーク無線構成の変更を移動通信端末に知らせることができる。一般的な移動通信端末は、ＲＡＴがどのように動的に再割り当てされるかについて心配することなく、ＲＡＳＤチャネルを介してＲＡＳＤコントローラノードから受信した情報に基づいて、その端末が位置するエリア内で利用可能なＲＡＴの１つにアクセスすることができる。
【００８４】
本発明は、２つ以上のテレコムオペレータが存在する異種無線通信状況にも適用できる。ＲＡＳＤチャネルを介してＲＡＳＤコントローラノードから受信した情報を利用して、移動通信端末は、その端末が加入しているテレコムオペレータにどの周波数が認可され、管理されているのかを検出するためにスペクトル全体を走査する代わりに、直接その情報を得ることができ、キャンピングのために必要な時間を低減することができる。加入しているテレコムオペレータの周波数が特定されると、移動通信端末は、どのＲＡＴに接続するかを決定するために上記の通りに進行することができる。
【００８５】
ＲＡＳＤチャネルは「帯域外」チャネルでも「帯域内」チャネルでもよい。第１の場合、ＲＡＳＤチャネルは、テレコムオペレータに割り当てられた認可帯域の外部の周波数帯域内のチャネルであり、ＲＡＳＤチャネルを介した通信のために、任意の無線輸送技術、場合によっては異種ネットワークのＲＡＴの１つを利用することができる。第２の場合（帯域内チャネル）は、テレコムオペレータに割り当てられた認可帯域内の周波数帯域をＲＡＳＤチャネル専用とすることができる。代替的に、テレコムオペレータが割り当てられた周波数の１つを喪失することを回避するために、ＲＡＳＤチャネルを「論理」チャネルとして実装することができる（たとえば、ＢＣＣＨ、ＰＢＣＣＨ、ＣＰＩＣＨのように、すでに既存のチャネルを介して送信される新しいプロトコルメッセージを規格に導入すべきであり、または新しい共通の論理制御チャネルを確立してもよい）。
【００８６】
本発明について、その例示的な一実施形態に言及しながら本明細書で説明した。たとえば付随する必要を満たすために、すべて添付の特許請求の範囲で定義される本発明の範囲内で、記載の実施形態のいくつかの変更、ならびに異なる実施形態が可能であることを当業者なら容易に理解されよう。
【００８７】
たとえば、ＧＰＳの代わりに、たとえばＧａｌｉｌｅｏ、Ａｓｓｉｓｔｅｄ  ＧＰＳ、Ｇｌｏｎａｓｓのような、様々な地理的位置特定システムを使用することができる。
【図１】
0005425996.tif 000002
【図２】
0005425996.tif 000003
【図３】
0005425996.tif 000004
【図４】
0005425996.tif 000005
【図５】
0005425996.tif 000006
【図６】
0005425996.tif 000007
【図７】
0005425996.tif 000008
【図８Ａ】
0005425996.tif 000009
【図８Ｂ】
0005425996.tif 000010
【図８Ｃ】
0005425996.tif 000011
【図９】
0005425996.tif 000012
【図１０】
0005425996.tif 000013
【図１１】
0005425996.tif 000014
【図１２】
0005425996.tif 000015
【図１３】
0005425996.tif 000016
【図１４】
0005425996.tif 000017
【図１５】
0005425996.tif 000018